(57)【要約】【課題】利便性が良く、安価な環境情報取得装置及び携帯端末等を提供する。【解決手段】周囲の環境を検出し、検出した環境を表す環境情報を送信する屋外に設置された環境センサ２０との通信を行う環境情報取得装置１０であって、前記環境センサ２０と通信して環境情報を取得する環境情報取得手段と、環境情報取得手段が取得した環境情報を記憶する記憶部と、記憶部が記憶する環境情報を外部に送信する送信処理手段と、を備える。環境情報取得装置１０は、他の目的に使用可能な移動体３内に搭載される。【選択図】図１
2012027702.tif 000002
【特許請求の範囲】
【請求項１】
周囲の環境を検出し、検出した環境を表す環境情報を送信する屋外に設置された環境センサとの通信を行う環境情報取得装置であって、
前記環境センサと通信して前記環境情報を取得する環境情報取得手段と、
前記環境情報取得手段が取得した前記環境情報を記憶する記憶部と、
前記記憶部が記憶する前記環境情報を外部に送信する送信処理手段と、
を備え、
前記環境情報取得装置は、他の目的に使用可能な移動体内に搭載される、
ことを特徴する環境情報取得装置。
【請求項２】
前記環境情報取得装置は、前記移動体内のバッテリと接続され、前記バッテリが供給する電力によって動作する、
ことを特徴とする請求項１に記載の環境情報取得装置。
【請求項３】
前記送信処理手段は、前記環境情報をサーバに送信する、
ことを特徴とする請求項１又は２に記載の環境情報取得装置。
【請求項４】
前記送信処理手段は、前記環境情報を携帯端末に送信する、
ことを特徴とする請求項１又は２に記載の環境情報取得装置。
【請求項５】
前記記憶部は、前記移動体についての運行情報を記憶し、
前記送信処理手段は、前記環境情報とともに前記運行情報も送信する、
ことを特徴とする請求項１乃至４のいずれか１項に記載の環境情報取得装置。
【請求項６】
周囲の環境を検出し、検出した環境を表す環境情報を送信する屋外に設置された環境センサと通信して前記環境情報を取得する環境情報取得手段と、
前記環境情報取得手段が取得した前記環境情報を記憶する記憶部と、
前記記憶部が記憶する前記環境情報を外部に送信する送信処理手段と、
を備えることを特徴する携帯端末。
【請求項７】
コンピュータを、
周囲の環境を検出し、検出した環境を表す環境情報を送信する屋外に設置された環境センサと通信して前記環境情報を取得して記憶部に記録する環境情報取得手段、
前記記憶部が記憶する前記環境情報を外部に送信する送信処理手段、
として機能させることを特徴とするプログラム。
【請求項８】
周囲の環境を検出し、検出した環境を表す環境情報を送信する屋外に設置された環境センサと、
前記環境センサと通信して前記環境情報を取得し、取得した前記環境情報を外部に送信する環境情報取得装置と、
前記環境情報取得装置が外部に送信した前記環境情報を取得することによって、前記環境情報を取得する環境情報収集サーバと、
を備え、
前記環境情報取得装置は、他の目的に使用可能な移動体内に搭載される、
ことを特徴する環境情報収集システム。
【請求項９】
周囲の環境を検出し、検出した環境を表す環境情報を送信する屋外に設置された環境センサと、
前記環境センサと通信して前記環境情報を取得し、取得した前記環境情報を外部に送信する携帯端末と、
前記環境情報取得装置が外部に送信した前記環境情報を取得することによって、前記環境情報を取得する環境情報収集サーバと、
を備えることを特徴する環境情報収集システム。
【発明の詳細な説明】
【技術分野】
【０００１】
本発明は、例えば、農業、林業、水産業、土木等に利用される、環境情報取得装置、携帯端末、環境情報収集システム、及び、プログラムに関する。
【背景技術】
【０００２】
この種の環境情報取得装置は、特許文献１に記載されているように、農作物の管理を行うフィールドに用いられ、栽培環境等のデータを中継する。
【先行技術文献】
【特許文献】
【０００３】
【特許文献１】特開２００６−１４６５７０号公報
【発明の概要】
【発明が解決しようとする課題】
【０００４】
しかしながら、このような環境情報取得装置は、屋外に設置するため、筐体は、耐環境のために、非常に堅牢な構造となってしまっていた。そして、堅牢な筐体であるがゆえに、その設置箇所にそれを固定する為の更なる強度を必要とした固定架台を有することとなり、前記の環境情報取得装置は、設置場所の限定や製品価格を高価なものにしてしまうという問題点があった。
【０００５】
本発明は上記点に鑑みてなされたものであり、利便性が良く、安価な環境情報取得装置及び携帯端末と、これらを用いた環境情報収集システムと、これらを実現するプログラムと、を提供することを目的とする。
【課題を解決するための手段】
【０００６】
本発明の第１の観点に係る環境情報取得装置は、
周囲の環境を検出し、検出した環境を表す環境情報を送信する屋外に設置された環境センサとの通信を行う環境情報取得装置であって、
前記環境センサと通信して前記環境情報を取得する環境情報取得手段と、
前記環境情報取得手段が取得した前記環境情報を記憶する記憶部と、
前記記憶部が記憶する前記環境情報を外部に送信する送信処理手段と、
を備え、
前記環境情報取得装置は、他の目的に使用可能な移動体内に搭載される。
【０００７】
本発明の第２の観点に係る携帯端末は、
周囲の環境を検出し、検出した環境を表す環境情報を送信する屋外に設置された環境センサと通信して前記環境情報を取得する環境情報取得手段と、
前記環境情報取得手段が取得した前記環境情報を記憶する記憶部と、
前記記憶部が記憶する前記環境情報を外部に送信する送信処理手段と、
を備える。
【０００８】
本発明の第３の観点に係るプログラムは、
コンピュータを、
周囲の環境を検出し、検出した環境を表す環境情報を送信する屋外に設置された環境センサと通信して前記環境情報を取得して記憶部に記録する環境情報取得手段、
前記記憶部が記憶する前記環境情報を外部に送信する送信処理手段、
として機能させる。
【０００９】
本発明の第４の観点に係る環境情報収集システムは、
周囲の環境を検出し、検出した環境を表す環境情報を送信する屋外に設置された環境センサと、
前記環境センサと通信して前記環境情報を取得し、取得した前記環境情報を外部に送信する環境情報取得装置と、
前記環境情報取得装置が外部に送信した前記環境情報を取得することによって、前記環境情報を取得する環境情報収集サーバと、
を備え、
前記環境情報取得装置は、他の目的に使用可能な移動体内に搭載される。
【００１０】
本発明の第５の観点に係る環境情報収集システムは、
周囲の環境を検出し、検出した環境を表す環境情報を送信する屋外に設置された環境センサと、
前記環境センサと通信して前記環境情報を取得し、取得した前記環境情報を外部に送信する携帯端末と、
前記環境情報取得装置が外部に送信した前記環境情報を取得することによって、前記環境情報を取得する環境情報収集サーバと、
を備える。
【発明の効果】
【００１１】
本発明によれば、利便性が良く、安価である環境情報取得装置又は携帯端末と、これらを用いた環境情報収集システムと、これらを実現するプログラムと、を提供できる。
【図面の簡単な説明】
【００１２】
【図１】本発明の一実施形態に係る環境情報収集システムの構成を示す図である。
【図２】本発明の一実施形態に係る環境センサ及び環境情報取得装置の構成を示す図である。
【図３】本発明の一実施形態に係る環境センサが記録する日付時刻情報と環境情報のデータ内容の一例を示す図である。
【図４】本発明の一実施形態に係る環境情報取得装置の制御部が行う環境情報取得処理を示すフローチャートである。
【図５】本発明の一実施形態に係る環境情報取得装置の記憶部に記録される、環境情報、日付時刻情報、及び、識別情報のデータ内容の一例を示す図である。
【図６】本発明の一実施形態に係る環境情報取得装置の制御部が行う環境情報送信処理を示すフローチャートである。
【発明を実施するための形態】
【００１３】
本発明に係る一実施形態について図面を参照して説明する。なお、本発明は下記の説明及び図面によって限定されるものではない。下記での説明及び図面によって示される構成等に適宜変更（構成要素の削除も含む）を加えることができるのはもちろんである。また、以下の説明では、本発明の理解を容易にするために、公知の技術的事項の説明を適宜省略する。
【００１４】
本発明の一実施形態に係る環境情報収集システムの構成を、図１を参照して説明する。本実施形態に係る環境情報収集システムは、農業において用いられ、畑における気温、地中温度等を取得、蓄積し、蓄積した情報又は蓄積した情報を何らかの方法によって加工した情報をユーザに提供するシステムである。
【００１５】
環境情報収集システム１は、環境情報取得装置１０と、環境センサ２０と、環境情報収集サーバ３０と、コンピュータ４０と、から構成される。
【００１６】
環境センサ２０は、１以上のセンサを含んで構成され、畑の所望の位置に所定の個数、設置され、気温、湿度、地中温度、土質（Ｐｈ値）、照度（太陽光や人工光の光の強さ）、大気圧、風景等の周囲の環境をセンサによって検出する。環境センサ２０は、検出した環境を表す環境情報を生成して出力する。環境センサ２０は、環境情報収集装置１０と通信を行い、前記環境情報をこの環境情報取得装置１０に送信する（データ送信）。
【００１７】
環境情報取得装置１０は、所定の情報処理装置であり、移動体３内に搭載される（例えば、取り外し可能に設置される）。移動体３は、作業用車両（トラクター等）、トラック等の車両である。環境情報取得装置１０は、移動体の移動にともなって移動する。環境情報取得装置１０は、移動に伴って、所定の距離範囲内にある環境センサ２０と、ＺｉｇＢｅｅ（登録商標）等の通信規格での無線通信を行い、環境情報収集装置１０が送信する環境情報を受信、取得する。環境情報取得装置１０は、環境情報収集サーバ３０と、３Ｇ（無線電話回線）等の通信方式での通信を行い、取得した環境情報を環境情報収集サーバ３０に送信する。
【００１８】
環境情報収集サーバ３０は、サーバコンピュータであり、環境情報取得装置１０と通信を行い、環境情報を取得する。環境情報収集サーバ３０は、この環境情報を環境情報取得装置１０毎に蓄積記録する。環境情報収集サーバ３０は、適宜、この環境情報を加工する。環境情報収集サーバ３０は、インターネット等のネットワーク５を介してコンピュータ４０と通信し、環境情報又は環境情報を加工した情報（加工後情報）をコンピュータ４０の要求に従って配信する。
【００１９】
コンピュータ４０は、ユーザの操作等に応じて環境情報や加工後情報を環境情報収集サーバ３０から取得する。取得した環境情報や加工後情報は、コンピュータ４０の処理又はユーザによって、例えば、畑の状況（天候等）の監視や、農産物等の育成に役立てる判断材料として使用される。
【００２０】
次に、環境情報取得装置１０と、環境センサ２０と、の構成を、図２を参照してより詳細に説明する。
【００２１】
環境センサ２０は、照度センサ２１ａと、湿度センサ２１ｂと、温度センサ２１ｃと、大気圧センサ２１ｄと、地中温度センサ２１ｅと、土質センサ２１ｆと、撮像装置２１ｇと、制御部２２と、通信部２３と、バッテリ２４と、記憶部２５と、を備える。
【００２２】
環境センサ２０は、その少なくとも一部が地中（畑）に埋められる。そして、下記のような周囲の環境を検出し、検出した周囲の環境を表す環境情報を生成し、出力する。
【００２３】
照度センサ２１ａは、この照度センサ２１ａを照らす光の強さ（照度）に応じた電気信号を制御部２２に出力する。このようにして、照度センサ２１ａは、外光の照度を検出する。
【００２４】
湿度センサ２１ｂは、周囲の湿度に応じた電気信号を制御部２２に出力する。このようにして、湿度センサ２１ｂは、周囲の湿度を検出する。
【００２５】
温度センサ２１ｃは、周囲の温度（大気温度）に応じた電気信号を制御部２２に出力する。このようにして、温度センサ２１ｃは、温度を検出する。
【００２６】
大気圧センサ２１ｄは、周囲の大気圧に応じた電気信号を制御部２２に出力する。このようにして、大気圧センサ２１ｄは、大気圧を検出する。
【００２７】
地中温度センサ２１ｅは、周囲の地中温度に応じた電気信号を制御部２２に出力する。このようにして、地中温度センサ２１ｅは、地中温度を検出する。
【００２８】
土質センサ２１ｆは、周囲の土質（ＰＨ）に応じた電気信号を制御部２２に出力する。このようにして、土質センサ２１ｆは、土質を検出する。
【００２９】
撮像装置２１ｇ（カメラ等）は、予め設定されている方向の風景を撮像し、撮像した撮像画像を表す撮像画像情報（風景に応じた電気信号）を制御部２２に出力する。このようにして、撮像装置２１ｇは、風景を検出するセンサとして機能する。
【００３０】
通信部２３は、アンテナ等を含む。通信部２３は、制御部２２が無線通信を行う際の媒介になる。また、通信部２３は、所定の距離内に、環境情報取得装置１０が位置している場合に、環境情報取得装置１０から環境情報の送信要求を受信し、受信した送信要求を制御部２２に供給する。制御部２２は、このような通信をＺｉｇＢｅｅ等の通信規格で行う。
【００３１】
バッテリ２４（電源）は、ボタン電池等から構成され、環境センサ２０の各構成要素のうちの必要な構成要素に適宜電力を供給し、環境センサ２０を動作させる。
【００３２】
記憶部２５は、ハードディスク、フラッシュメモリ等の記憶装置によって構成される。記憶部２５には、後述の環境情報が、日付情報と対応付けて記録される。この環境情報と、日付情報と、は所定期間毎に、制御部２２によって順次、記憶部２５に記録されていく。
【００３３】
制御部２２は、マイクロコンピュータ等からなる。制御部２２は、普段は省電力のため、スリープ状態（待機状態）になっている。制御部２２は、所定の日付及び時刻を計時しているカレンダ部を内蔵している。制御部２２は、このカレンダ部を参照し、所定の期間毎に起動して、前記の各センサ（撮像装置２１ｇを含む。）を制御し、各センサが出力する電気信号を取得する。制御部２２は、取得した電気信号に基づいて、前記の各環境を表す所定のデータ（環境情報）を生成し、記憶部２３に記録、蓄積する。なお、このとき、制御部２２は、カレンダ部を参照して、環境情報取得時の日付及び時刻を表す日付時刻データ（日付時刻情報）を取得し、前記日付時刻情報と前記環境情報とを対応付けて記憶部２３に記録する。
【００３４】
図３に、記憶部２５に記録される、複数の日付時刻情報と、これら日付情報毎に対応付けられた複数の環境情報と、についてのデータ内容を示す。図３では、環境情報が１時間毎に取得・記録される。例えば、最上段では、日付時刻情報は、２０１０年７月１０日１２時００分を表すデータであり、環境情報は、照度して、ａ１ルクス（ｌｘ）、湿度として、ｂ１パーセント（％）、大気温度として、ｃ１°、大気圧として、ｄ１パスカル（Ｐａ）、地中温として、ｅ１°、土質として、ｆ１（ＰＨ）、の各値と、風景として画像１とを含む情報を表すデータである。
【００３５】
また、制御部２２は、通信部２３を介して環境情報の送信要求を受信したときを契機としても起動し、記憶部２５に記録されている、すべての組の、日付時刻情報と環境情報とを、記憶部２５から取得し、取得した日付時刻情報と環境情報とを、予め設定されている環境情報取得装置１０自身固有の識別情報とともに、通信部２３を介して環境情報取得装置１０に送信する。なお、制御部２２は、送信した情報を記憶部２５から消去する。このようにして、制御部２２は、所定の距離内に入ってきた環境情報取得装置１０に対して、前記の環境情報を送信する。
【００３６】
環境情報取得装置１０は、制御部１１と、記憶部１２と、表示部１３と、操作部１４と、第１の通信部１５と、第２の通信部１６と、位置検出部１７と、電源接続部１８と、を備える。環境情報取得装置１０は、例えば、カーナビゲーションシステムの端末等に、下記の機能を追加したものであってもよい。
【００３７】
制御部１１は、ＣＰＵ（Central Processing Unit）、ＲＯＭ（Read Only Memory）、ＲＡＭ（Random Access Memory）等を含むマイクロコンピュータ等から構成される。制御部１１（ＣＰＵ）は、ＲＯＭに記録されたプログラムに従って、環境情報取得装置１０全体を制御するとともに、後述の処理を行う。
【００３８】
記憶部１２は、ハードディスク、フラッシュメモリ等の記憶装置によって構成され、制御部１１によって環境情報等のデータが記録される。
【００３９】
表示部１３は、液晶ディスプレイ装置等から構成され、例えば、制御部１１の制御のもとで、所定の画面を表示する。
【００４０】
操作部１４は、例えば、液晶ディスプレイ装置に設けられた接触式センサ等からなり、ユーザからの操作に応じた操作情報を制御部１１に供給する。
【００４１】
本実施形態では、表示部１３と操作部１４とで、タッチパネルが構成されている。
【００４２】
第１の通信部１５は、アンテナ等を含む通信装置によって構成される。第１の通信部１５は、制御部１１が通信を行う際の媒介になる。制御部１１は、第１の通信部１５を介して３Ｇ等の通信方式で、環境情報収集サーバ３０と通信を行う。
【００４３】
第２の通信部１６は、アンテナ等を含む通信装置によって構成される。第２の通信部１６は、制御部１１が通信を行う際の媒介になる。制御部１１は、第２の通信部１６を介してＺｉｇＢｅｅ等の通信規格で、環境情報取得装置１０と通信を行う。
【００４４】
位置検出部１７は、ＧＰＳ（Global Positioning System）受信機等から構成され、環境情報取得装置１０の位置を検出する。位置検出部１７は、制御部１１の制御のもと、環境情報取得装置１０の位置を検出し、この位置（例えば、緯度及び経度で表される）を表す位置情報を制御部１１に供給する。
【００４５】
電源接続部１８は、コードと接続される移動体３が備えるバッテリ３ａと、コード、移動体３のシガーソケット等を介して電気的に接続される。電源接続部１８は、所定の電源回路等から構成され、バッテリ３ａから印加される電圧を変圧する等して、バッテリ３ａから供給される電力に基づいて、環境情報取得装置１０を動作させる。
【００４６】
なお、移動体３は、ＥＣＵ（電子制御ユニット）を備え、環境情報取得装置１０からは、ＥＣＵから動作情報が供給される。動作情報は、例えば、移動体の速度、稼動時間等を表すデータである。
【００４７】
本実施形態では、制御部１１は、所定の日付及び時刻を計時しているカレンダ部を内蔵している。制御部１１は、このカレンダ部を参照し、所定の期間毎に、位置検出部１７を制御して、位置検出部１７に前記の位置を検出させ、前記の位置情報を出力させる。制御部１１は、位置検出部１７から供給される位置情報を取得するとともに、カレンダ部を参照し、環境情報取得時の日付及び時刻を表す日付時刻データ（日付時刻情報）を取得し、前記日付時刻情報と前記位置情報とを対応付けて記憶部２３に記録する。制御部１１は、これらの処理を定期的に行う。
【００４８】
また、制御部１１は、ＥＣＵから供給される移動情報を取得するとともに、カレンダ部を参照し、環境情報取得時の日付及び時刻を表す日付時刻データ（日付時刻情報）を取得し、前記日付時刻情報と前記移動情報とを対応付けて記憶部２３に記録する。制御部１１は、これらの処理を、移動体３が動作している場合に、常に行うものとする。
【００４９】
上記の前記日付時刻情報及び前記位置情報と、前記日付時刻情報及び前記移動情報と、は、移動体３の運転状況等を示す情報であり、本実施形態では、運行情報に含まれる。なお、運行情報は、位置情報、移動情報のいずれか一方のみを含むものであってもよく、日付時刻情報も含まなくて良い場合もある。
【００５０】
次に、制御部１１の行う環境情報取得処理について、図４等を参照して説明する。環境情報取得処理は、ユーザが環境情報取得処理を開始する指示を操作部１４を操作することによって行ったことを契機として開始される。制御部１１は、このような操作を表す操作信号が操作部１４から供給されると、環境情報取得処理を開始する。なお、制御部１１は、表示部１３の所定の操作画面を適宜表示し、ユーザは、この操作画面を見ながら所定の処理を行う。
【００５１】
まず、制御部１１は、環境情報の送信要求の信号を第２の通信部１６を介して無線で送信する（ステップＳ１０１）。この送信要求の信号は、環境情報取得装置１０から所定の距離の範囲内にしか届かない。
【００５２】
次に、制御部１１は、ユーザが環境情報取得終了の指示を、操作部１４を操作して行ったかを判別する（ステップＳ１０２）。制御部１１は、このような操作を表す操作信号が操作部１４から供給されると、環境情報取得終了の指示がされたと判別し（ステップＳ１０２；ＹＥＳ）、本処理を終了する。また、制御部１１は、このような操作を表す操作信号が操作部１４から供給されていないと、環境情報取得終了の指示がされていないと判別し（ステップＳ１０２；ＮＯ）、ステップＳ１０３の処理を行う。
【００５３】
制御部１１は、ステップＳ１０３の処理において、環境情報を取得できたかを判別する。環境情報取得装置１０（移動体３）から所定の距離内に環境センサ２０がある場合、環境センサ２０は、送信要求を受信する。環境センサ２０は、送信要求を受信すると、起動して、記憶部２５に記録されている１以上の組の環境情報と日付時刻情報とを自身の識別情報とともに、制御部１１に送信する（以下では、これらの情報を環境情報等という）。この場合、制御部１１は、環境情報等を第２の通信部１６を介して無線で受信することになる。制御部１１は、このような受信があった場合に、環境情報を取得できた判別し（ステップＳ１０３；ＹＥＳ）、ステップＳ１０４の処理を行う。また、制御部１１は、このような受信がなかった場合に、環境情報を取得できていないと判別し（ステップＳ１０３；ＮＯ）、ステップＳ１０１の処理を行う。本実施形態では、このような処理によって、制御部１１は、所定の距離内に入った環境センサ２０と近距離通信を行い、また、環境センサ２０と近距離通信を行うまで（環境センサ２０が所定の距離内に入るまで）、待機する。
【００５４】
制御部１１は、ステップＳ１０４において、取得した環境情報等を記憶部１２に記録し、その旨（例えば、「環境情報を取得しました。」）を表示部１３に表示する。その後、制御部１１は、ステップＳ１０１の処理を再び行う。
【００５５】
本処理において、制御部１１は、環境情報取得終了の指示があるまで、環境センサ２０との通信を試み、環境センサ２０が送信する環境情報等を環境センサ２０毎に記憶部１２に記録していく。このように記録された環境情報等の内容を図５に示す。図５のように、複数組の環境情報及び日付時刻情報は、環境センサ２０毎に、環境センサ２０の識別情報とともに、対応付けて記録されている。
【００５６】
次に、制御部１１の行う環境情報送信処理について、図６を参照して説明する。環境情報送信処理は、ユーザが環境情報送信処理を開始する指示を操作部１４を操作することによって行ったことを契機として開始される。制御部１１は、このような操作を表す操作信号が操作部１４から供給されると、環境情報送信処理を開始する。なお、制御部１１は、表示部１３の所定の操作画面を適宜表示し、ユーザは、この操作画面を見ながら所定の処理を行う。
【００５７】
まず、制御部１１は、記憶部１２に記録されている、環境情報等と運行情報と、を記憶部１２から取得する（ステップＳ２０１）。そして、制御部１１は、取得した環境情報等と運行情報とを、環境情報取得装置自身に予め設定されている識別情報とともに、第１の通信部１５を介して、環境情報収集サーバ３０に送信し（ステップＳ２０２）、本処理を終了する。
【００５８】
なお、環境情報収集サーバ３０は、環境情報取得装置１０から受信した環境情報等と運行情報とを、環境情報取得装置１０の識別情報とともに、記録する。このとき、環境情報等及び運行情報は、環境情報取得装置１０の識別情報と対応付けられて記録される。このようにして、環境情報等と運行情報とは、環境情報取得装置１０毎に、記憶部１２に記録される。画像収集サーバ３０は、受信した環境情報等と運行情報とについて所定の編集等の加工を行っても良い（加工後の情報（加工後情報）も記憶部に記録される）。また、コンピュータ４０は、ユーザの操作によって、環境情報収集サーバ３０にアクセスし、環境情報等及び運行情報や加工後情報を環境情報収集サーバからダウンロードし、これらの情報を用いて所定の処理を行う。これによって、例えば、畑における環境等をデータ管理することができる。
【００５９】
本実施形態では、上記のような構成及び処理によって、環境センサ２０は、周囲の環境を検出し、検出した環境を表す環境情報を送信する。そして、この環境センサ２０は、屋外に設置される。また、環境情報取得装置１０は、環境センサ２０と通信し環境情報を取得する環境情報取得手段（制御部１１）と、この環境情報取得手段が取得した環境情報を記憶する記憶部１２と、記憶部１２が記憶する環境情報を外部に送信する送信処理手段（制御部１１）と、を備える。そして、環境情報取得装置１０は、他の目的に使用可能な移動体３内に搭載される（例えば、ダッシュボード等に設置される。）。これによって、移動体３が、筐体の役割を有するため、設置場所の限定や製品価格を高価なものにしてしまうという問題点が生じない。このため、本実施形態に係る環境情報取得装置１０は、利便性が良く、安価な装置になっている。特に、環境情報取得装置１０は、例えば、カーナビゲーションの端末装置や、車両の計器等の他の機能を有する装置であってもよく、この場合環境情報取得装置１０は、利便性が良く、安価な装置になる。
【００６０】
そして、本実施形態では、上記のような構成及び処理によって、環境情報取得装置１０は、移動体３内のバッテリ３ａと接続され、バッテリ３ａが供給する電力によって動作する。これによって、環境情報取得装置１０についての電源供給を外部から行わなくてよいため、電源の確保が容易になる。このため、本実施形態に係る環境情報取得装置１０は、利便性が良く、安価な装置になっている。
【００６１】
また、本実施形態では、上記のような構成及び処理によって、制御部１１（送信処理手段）は、運行情報についても環境情報取得装置１０を介して環境情報収集サーバ３０に送信する。これによって、環境のみならず、移動体３の運行情報についても、データ管理する事ができる。これによって、例えば、ある環境下での運行情報が把握されるので、例えば、将来的に似たような環境下において、移動体３の運行状況を予測できる。
【００６２】
上記のように、本実施形態では、環境情報取得装置１０は、環境センサ２０と、環境情報収集サーバ３０と、についての通信プロトコルの違いを吸収して、両者の橋渡し（データの中継）ができるとともに、運行情報を環境情報に付加して環境情報収集サーバ３０に送信できる。
【００６３】
また、上記では、環境情報取得装置１０は、環境情報や運行情報の取得と、これら情報の送信とを別々に行っている。これによって、例えば３Ｇの電波が悪い状況でも、環境情報取得装置１０は、環境情報収集サーバ３０に情報を精度良く送信できる。環境情報取得装置１０は、環境情報や運行情報の取得した直後に、これら情報を自動で送信してもよい。これによって、環境情報取得装置１０は、環境情報収集サーバ３０に情報を素早く送信できる。
【００６４】
また、環境情報取得装置１０と環境センサ２０とは、有線で通信を行っても良い。この場合、両者の通信部は、有線のケーブルを接続する（例えば、ＵＳＢ接続（Universal Serial Bus））接続部になる。
【００６５】
また、環境センサ２０の識別情報は、ユーザによって設定されてもよい。例えば、制御部１１は、上記ステップＳ１０４の処理時に識別情報の入力を受け付ける。ユーザが、操作部１４を介して、識別情報を入力すると、制御部１１は、この操作に応じた識別情報を、環境情報の記録時に対応付けて記録する。これによって、識別情報をユーザの好みに応じて設定できる。
【００６６】
上記の環境情報が撮像画像を含むため、畑の情報は、視覚的に把握されることができる。
【００６７】
なお、環境情報収集システム１は、畑に限らず、水田等の他の農業に使用することもできる。また、環境情報収集システム１は、山間部等の林業に使用することもできる。また、環境情報収集システム１は、海、川等の水産業に使用することもできる。また、環境情報収集システム１は、土木作業に使用することもできる。移動体３も使用用途によって、船等であってもよい。また、環境センサ２０が備えるセンサも、上記のような組み合わせに限らず、適宜変更・省略ができる。特に、これらセンサは、用途によって適宜変更される。例えば、環境センサ２０が水田に設置される場合には、地中温度センサ２１ｅは、例えば、周囲の水温に応じた電気信号を出力する、水温を検出する水温センサにする事ができる。また、土質センサ２１ｆは、例えば、周囲の水質（ＰＨ）に応じた電気信号を出力する、水質を検出する水質センサにする事ができる。例えば、環境情報が土木で使用される場合、環境情報や加工後情報は、作業現場の状況（天候等）の監視、危険地域の異常検知の判断材料等として使用され、環境情報が漁業で使用される場合、養殖場の状況（天候等）の監視や、養殖魚の育成に役立てる判断材料等として使用される。
【００６８】
また、環境情報収集サーバ３０は、環境情報等や運行情報を、環境情報取得装置１０に送信してもよい。環境情報取得装置１０は、これらの情報の内容を表示部１３に表示する。これによって、環境情報取得装置１０のユーザに環境情報等や運行情報がフィードバックされる。
【００６９】
また、環境センサ２０が備えるセンサは、環境センサ２０の外部に設置されたものであってもよい。
【００７０】
なお、制御部１１（送信処理手段）は、第１の通信部１５を介して、環境情報（環境情報等、運行情報）を、携帯端末（携帯電話機）に送信してもよい。例えば、制御部１１（送信処理手段）は、第１の通信部１５を介して、ＢｌｕｅＴｏｏｔｈ（登録商標）等の通信規格によって、携帯端末と通信し、前記の情報を携帯端末に送信する。この場合、携帯端末が環境情報収集サーバ３０に、３Ｇ等の通信方式（携帯電話用の通信方式）で、環境情報（環境情報等、運行情報）を送信する。このようにして、環境情報は、携帯端末を介して環境情報収集サーバ３０に送信される。つまり、環境情報収集サーバ３０は、制御部１１によって外部（ここでは、携帯端末）に送信された環境情報を取得してもよい。このような構成によって、従来から確立されている通信方法（携帯端末による３Ｇの通信方式）によって、環境情報を環境情報収集サーバ３０に適切に送信できる。
【００７１】
なお、上記プログラムは、ＯＳ（Operation System）と協働してＣＰＵに上記処理を行わせるものであってもよい。この場合、ＯＳもＲＯＭ等に記録される。また、プログラムは、持ち運び可能な記憶媒体（例えば、ＣＤ−ＲＯＭ（Compact Disk Read Only Memory）、ＤＶＤ−ＲＯＭ（Digital Versatile Disk Read Only Memory））に記録され、に供給（インストール）されてもよい。また、プログラムは、ネットワークを介して環境情報取得装置１０に供給されてもよい。これらの場合には、フラッシュメモリ等の記憶部１２にプログラムが記録される。
【００７２】
プログラムが記録された、ＲＯＭ、フラッシュメモリ、又は、持ち運び可能な記憶媒体等は、プログラムを記憶したコンピュータが読み取り可能な記憶媒体になる。プログラムは、機能の少なくとも一部が専用回路によって実現された環境情報取得装置１０を動作させるものであってもよい。つまり、環境情報取得装置１０は、全体として、上記処理を行うものであればよく、プログラムは、そのような環境情報取得装置１０を動作させるものであればよい。
【００７３】
環境情報取得装置は、上記の構成を有する携帯端末（携帯電話等）であってもよい。このような携帯端末は、従来のものを利用して構成する事ができ、堅牢な筐体や、電源の確保等に問題が生じず、利便性が良く、安価な携帯端末になる。なお、この場合、携帯端末は、移動体３に搭載されない。また、上記では、環境情報取得装置１０は所定の電源を有していないが、携帯端末であれば、電源は自身が有する。
【符号の説明】
【００７４】
１          環境情報収集システム
３          移動体
５          ネットワーク
１０        環境情報取得装置
１１        制御部
２０        環境センサ
３０        環境情報収集サーバ
４０        コンピュータ
【図１】
2012027702.tif 000003
【図２】
2012027702.tif 000004
【図３】
2012027702.tif 000005
【図４】
2012027702.tif 000006
【図５】
2012027702.tif 000007
【図６】
2012027702.tif 000008